(57)【要約】【課題】  可搬記憶媒体の管理技術に関し、可搬記憶媒体を装着可能な複数のポートの各状態を簡便に確認でき、診療効率の向上を図る技術を提供する。【解決手段】  患者識別情報を含む医療情報を記憶した可搬記憶媒体を読み込んで情報処理する医用機器において、可搬記憶媒体の装着及び取り外しが可能な複数のポートと、各ポートに対応した複数のデバイス表示アイコンを表示する表示手段、又は各ポートに対応した複数のデバイス表示ランプを有し、可搬記憶媒体のポートへの装着を検出すると、装着されたポートに対応するデバイス表示アイコン又はデバイス表示ランプを識別表示させる。【選択図】      図３
2008176461.tif 000002
【特許請求の範囲】
【請求項１】
患者識別情報を含む医療情報を記憶した可搬記憶媒体を読み込んで情報処理する医用機器であって、
前記可搬記憶媒体の装着及び取り外しが可能な複数のポートと、
前記各ポートへの前記可搬記憶媒体の装着又は取り外しを検出する検出手段と、
前記各ポートに対応した複数のデバイス表示アイコンを表示する表示手段と、
前記検出手段が前記可搬記憶媒体の装着を検出すると、装着されたポートに対応する前記デバイス表示アイコンを識別表示させる可搬記憶媒体管理手段と、
を備えること、
を特徴とする医用機器。
【請求項２】
患者識別情報を含む医療情報を記憶した可搬記憶媒体を読み込んで情報処理する医用機器であって、
前記可搬記憶媒体の装着及び取り外しが可能な複数のポートと、
前記各ポートへの前記可搬記憶媒体の装着又は取り外しを検出する検出手段と、
前記各ポートに対応した複数のデバイス表示ランプと、
前記検出手段が前記可搬記憶媒体の装着を検出すると、装着されたポートに対応する前記デバイス表示ランプを識別表示させる可搬記憶媒体管理手段と、
を備えること、
を特徴とする医用機器。
【請求項３】
前記可搬記憶媒体管理手段は、
前記デバイス表示アイコン上にカーソルが移ると、このカーソルが移ったデバイス表示アイコンに対応するポートに装着された可搬記憶媒体から患者識別情報を取得し、この患者識別情報をポップアップ表示させること、
を特徴とする請求項１記載の医用機器。
【請求項４】
装着された可搬記憶媒体の残容量を取得する残容量取得手段をさらに備え、
前記可搬記憶媒体管理手段は、前記残容量取得手段が取得した前記残容量に応じて、前記装着された可搬記憶媒体に対応する前記デバイス表示アイコンを識別表示させること、
を特徴とする請求項１記載の医用機器。
【請求項５】
装着された可搬記憶媒体の残容量を取得する残容量取得手段をさらに備え、
前記可搬記憶媒体管理手段は、前記装着された可搬記憶媒体に対応する前記デバイス表示ランプを前記残容量に基づいた輝度で点灯させること、
を特徴とする請求項２記載の医用機器。
【請求項６】
装着された可搬記憶媒体の残容量を取得する残容量取得手段をさらに備え、
前記可搬記憶媒体管理手段は、前記装着された可搬記憶媒体に対応する前記デバイス表示ランプを前記残容量に基づいた点滅回数で点滅させること、
を特徴とする請求項２記載の医用機器。
【請求項７】
前記可搬記憶媒体管理手段は、
画面上の医用画像が前記デバイス表示アイコンにドラッグアンドドロップされると、この医用画像をドラッグアンドドロップされたデバイス表示アイコンに対応する可搬記憶媒体に記憶させること、
を特徴とする請求項１記載の医用機器。
【請求項８】
ログイン者の閲覧権限を記憶する閲覧権限記憶手段をさらに備え、
前記可搬記憶媒体管理手段は、ログインした者の閲覧権限と可搬記憶媒体に記憶されている前記医療情報の属性とに基づき、ログインした者の閲覧権限を判断し、閲覧権限がなければ、挿入されている可搬記憶媒体へのアクセスを拒絶すること、
を特徴とする請求項１記載の医用機器。
【請求項９】
ログイン者の閲覧権限を記憶する閲覧権限記憶手段をさらに備え、
前記可搬記憶媒体管理手段は、ログインする者の閲覧権限と可搬記憶媒体に記憶されている前記医療情報の属性とに基づき、ログインする者の閲覧権限を判断し、閲覧権限がなければ、ログインを拒絶すること、
を特徴とする請求項１記載の医用機器。
【請求項１０】
患者識別情報を含む前記医療情報を記憶した可搬記憶媒体の装着及び取り外しが可能な複数のポートを有し、この各ポートへの前記可搬記憶媒体の装着又は取り外しを検出して、装着された可搬記憶媒体を読み込んで情報処理するコンピュータを、
前記各ポートへの前記可搬記憶媒体の装着又は取り外しを検出する検出手段と、
前記各ポートに対応した複数のデバイス表示アイコンを表示する表示手段と、
前記可搬記憶媒体の装着が検出されると、装着されたポートに対応する前記デバイス表示アイコンを識別表示させる可搬記憶媒体管理手段と、
して機能させること、
を特徴とする可搬記憶媒体管理プログラム。
【請求項１１】
患者識別情報を含む前記医療情報を記憶した可搬記憶媒体の装着及び取り外しが可能な複数のポートと、この各ポートに対応した複数のデバイス表示ランプを有し、前記ポートへの前記可搬記憶媒体の装着又は取り外しを検出して、装着された可搬記憶媒体を読み込んで情報処理するコンピュータを、
前記可搬記憶媒体の装着が検出されると、装着されたポートに対応する前記デバイス表示ランプを識別表示させる可搬記憶媒体管理手段と、
して機能させること、
を特徴とする可搬記憶媒体管理プログラム。
【請求項１２】
前記可搬記憶媒体管理手段は、
前記デバイス表示アイコン上にカーソルが移ると、このカーソルが移ったデバイス表示アイコンに対応するポートに装着された可搬記憶媒体から患者識別情報を取得し、この患者識別情報をポップアップ表示させること、
を特徴とする請求項１０記載の可搬記憶媒体管理プログラム。
【請求項１３】
装着された可搬記憶媒体の残容量を取得する残容量取得手段としてさらに機能させ、
前記可搬記憶媒体管理手段は、前記残容量取得手段が取得した前記残容量に応じて、前記装着された可搬記憶媒体に対応する前記デバイス表示アイコンを識別表示させること、
を特徴とする請求項１０記載の可搬記憶媒体管理プログラム。
【請求項１４】
装着された可搬記憶媒体の残容量を取得する残容量取得手段としてさらに機能させ、
前記可搬記憶媒体管理手段は、前記残容量取得手段が取得した前記残容量に応じて、前記装着された可搬記憶媒体に対応する前記デバイス表示ランプを識別表示させること、
を特徴とする請求項１１記載の可搬記憶媒体管理プログラム。
【請求項１５】
前記可搬記憶媒体管理手段は、
画面上の医用画像が前記デバイス表示アイコンにドラッグアンドドロップされると、この医用画像をドラッグアンドドロップされたデバイス表示アイコンに対応する可搬記憶媒体に記憶させること、
を特徴とする請求項１０記載の可搬記憶媒体管理プログラム。
【請求項１６】
ログイン者の閲覧権限を記憶する閲覧権限記憶手段としてさらに機能させ、
前記可搬記憶媒体管理手段は、ログインした者の閲覧権限と可搬記憶媒体に記憶されている前記医療情報の属性とに基づき、ログインした者の閲覧権限を判断し、閲覧権限がなければ、挿入されている可搬記憶媒体へのアクセスを拒絶すること、
を特徴とする請求項１０記載の可搬記憶媒体管理プログラム。
【請求項１７】
ログイン者の閲覧権限を記憶する閲覧権限記憶手段としてさらに機能させ、
前記可搬記憶媒体管理手段は、ログインする者の閲覧権限と可搬記憶媒体に記憶されている前記医療情報の属性とに基づき、ログインする者の閲覧権限を判断し、閲覧権限がなければ、ログインを拒絶すること、
を特徴とする請求項１０記載の可搬記憶媒体管理プログラム。
【発明の詳細な説明】
【技術分野】
【０００１】
本発明は、可搬記憶媒体の管理技術に関する。
【背景技術】
【０００２】
従来から情報処理しようとする情報をリムーバブルＨＤＤやＣＤやＤＶＤやＭＯやＵＳＢメモリ等の可搬記憶媒体に記憶させておく場合がある。ＵＳＢメモリは、その手軽さや携帯性から特にニーズが高まりつつある。可搬記憶媒体に情報を記憶させておき、情報処理装置に装着させることで簡便に可搬記憶媒体から情報を読み出したりすることができるものである（例えば、「特許文献１」参照。）。
【０００３】
医療現場においても、閲覧や修正や紙媒体への印刷等の情報処理をしようとする客体たる医療情報を可搬記憶媒体に記憶させておくことが多くなってきた。例えば、患者毎に個別の可搬記憶媒体に医療情報を保存しておき、画像表示装置やレポート作成装置や画像診断装置等の医用機器に装着して読み出したり、画像診断装置における患者認証の手段として使用したりする。大容量ストレージを有さない医用機器でも容量を気にすることなく安全に検査や読影に必要な患者の医療情報を取り扱うことができためである。また、ネットワーク構築が困難な比較的中小規模の病院においても、またネットワーク障害に対する備えとしても、有用である。
【０００４】
【特許文献１】特開２００６−２８９８８５号公報
【発明の開示】
【発明が解決しようとする課題】
【０００５】
医用現場では、しばしば複数の患者を同時に扱うことがある。例えば、読影時に比較対象となる症例を参照する場合等である。そのため、医用機器には、可搬記憶媒体を装着できる複数のポートが搭載されることが多い。
【０００６】
しかし、複数のポートに可搬記憶媒体を装着した場合、どの可搬記憶媒体のどの患者の医療情報が記憶されているのかを確認する手間が増えるおそれや、どの可搬記憶媒体がどのポートの装着されているのかわからなくなるおそれがある。そのため、ポートに可搬記憶媒体が挿入されているのか、及びどの可搬記憶媒体にどの医療情報が記憶されているのかを確認するために、各種ポートにアクセスして医療情報の内容を確認する作業等が必要となる。この診療行為と直接関係のない作業は、診療効率の低下を招く。
【０００７】
本発明は、上記事情に鑑みてなされたものであり、その目的とするところは、可搬記憶媒体の管理技術に関し、可搬記憶媒体を装着可能な複数のポートの各状態を簡便に確認でき、診療効率の向上を図る技術を提供することにある。
【課題を解決するための手段】
【０００８】
上記課題を解決するために、本発明の態様は、患者識別情報を含む医療情報を記憶した可搬記憶媒体を読み込んで情報処理する医用機器であって、前記可搬記憶媒体の装着及び取り外しが可能な複数のポートと、前記各ポートへの前記可搬記憶媒体の装着又は取り外しを検出する検出手段と、前記各ポートに対応した複数のデバイス表示アイコンを表示する表示手段と、前記検出手段が前記可搬記憶媒体の装着を検出すると、装着されたポートに対応する前記デバイス表示体を識別表示させる可搬記憶媒体管理手段と、を備えること、を特徴とする。
【０００９】
また、患者識別情報を含む医療情報を記憶した可搬記憶媒体を読み込んで情報処理する医用機器であって、前記可搬記憶媒体の装着及び取り外しが可能な複数のポートと、前記各ポートへの前記可搬記憶媒体の装着又は取り外しを検出する検出手段と、前記各ポートに対応した複数のデバイス表示ランプと、前記検出手段が前記可搬記憶媒体の装着を検出すると、装着されたポートに対応する前記デバイス表示ランプを識別表示させる可搬記憶媒体管理手段と、を備えること、を特徴とする。
【００１０】
また、前記可搬記憶媒体管理手段は、前記デバイス表示アイコン上にカーソルが移ると、このカーソルが移ったデバイス表示アイコンに対応するポートに装着された可搬記憶媒体から患者識別情報を取得し、この患者識別情報をポップアップ表示させるようにしてもよい。
【発明の効果】
【００１１】
本発明の態様によっては、各ポートに対応した複数のデバイス表示アイコンまたはデバイス表示ランプを有し、可搬記憶媒体の装着を検出すると、装着されたポートに対応するデバイス表示アイコン又はデバイス表示ランプを識別表示させるようにした。これにより、複数のポートが用意されている医用機器であっても、どのポートに可搬記憶媒体が装着されているか即座に認識でき、診療効率が向上する。
【００１２】
また、デバイス表示アイコンにカーソルが移動すると、デバイス表示アイコンに対応するポートに装着された可搬記憶媒体に記憶されている医療情報の情報主体である患者を表す患者識別情報をポップアップ表示することで、どの可搬記憶媒体にどの患者の医療情報が記憶されているか速やかに理解できる。従って、可搬記憶媒体のラベルに頼らず整理・整頓が可能となり、また誤って他人の医療情報を記憶している可搬記憶媒体に異なる患者の医療情報を記憶させてしまったり、他人の医療情報をその患者の医療情報だと誤解してしまったりするおそれも防止でき、診療効率が向上する。
【発明を実施するための最良の形態】
【００１３】
以下、本発明に係る医用機器の好適な実施形態について、図面を参照しながら具体的に説明する。第１の実施形態に係る医用機器は、挿入された可搬記憶媒体を識別する。第２の実施形態に係る医用機器は、ランプ表示によって可搬記憶媒体を識別するとともに、可搬記憶媒体の残容量をランプによって識別する。第４の実施形態に係る医用機器は、ドラッグ＆ドロップ操作により表示された医療情報を可搬記憶媒体に記憶させる。第５の実施形態に係る医用機器は、記憶媒体に記憶されている医療情報に対するアクセスに対して権限判断を行う。第６の実施形態に係る医用機器は、可搬記憶媒体が装着されている場合に、ログオンする者の権限判断を行う。
【００１４】
（第１の実施形態）
図１は、本実施形態に係る医用機器の外観を示す図である。
【００１５】
医用機器１は、医療現場に配される所謂コンピュータを搭載した機器である。医用機器１は、例えば、被検体の画像を撮影する医用画像診断装置や、被検体を治療する治療装置や、被検体の画像を閲覧する画像表示装置や、医用画像の読影結果を纏めたレポートの電子ファイルを作成するレポート作成装置である。
【００１６】
この医用機器１は、ワークステーション１１を備える。ワークステーション１１には、モニタ１２、キーボード１３、マウス１４が接続される。また、ワークステーション１１には、ＵＳＢ（Ｕｎｉｖｅｒｓａｌ  Ｓｅｒｉａｌ  Ｂｕｓ）メモリを装着可能なＵＳＢポート１１０ａ，１００ｂ，１００ｃ・・・（以下、特に区別しないときは単に「ＵＳＢポート１１０」という）が複数用意されている。ＵＳＢメモリは、ＵＳＢポート１１０に装着及び取り外しが可能な端子と半導体メモリを有するストレージである。
【００１７】
図２は、本実施形態に係る医用機器１の内部構成を示すブロック図である。
【００１８】
ワークステーション１１には、演算制御部１１ａ、主記憶部１１ｂ、外部記憶部１１ｃ、Ｉ／Ｏインターフェース１１ｄ、ＵＳＢ制御部１１ｅが内蔵されている。演算制御部（ＣＰＵ：Ｃｅｎｔｒａｌ  Ｐｒｏｃｅｓｓｉｎｇ  ＵｎｉｔやＧＰＵ）１１ａ、主記憶部（ＲＡＭ：Ｒａｍｄｏｍ  Ａｃｃｅｓｓ  Ｍｅｍｏｒｙ）１１ｂ、外部記憶部（例えばＨＤＤ：Ｈａｒｄ  Ｄｉｓｋ  Ｄｒｉｖｅ）１１ｃ、Ｉ／Ｏインターフェース１１ｄ、ＵＳＢ制御部１１ｅは、バスによって接続されてデータの入出力が可能となっている。
【００１９】
演算制御部１１ａは、プログラムを解読及び実行し、各内部装置に制御信号を出力して制御する。外部記憶部１１ｃは、演算制御部１１ａのワークエリアとしてプログラムやデータや演算結果を一時的に記憶する。外部記憶部１１ｃには、ＯＳ（オペレーティングシステム）と可搬記憶媒体管理プログラムが記憶されている。Ｉ／Ｏインターフェース１１ｄは、モニタ１２への描画信号の出力、キーボード１３やマウス１４からの操作信号の入力を中継する。
【００２０】
ＵＳＢ制御部１１ｅは、ＵＳＢポート１１０を有している。このＵＳＢ制御部１１ｅは、挿入されたＵＳＢメモリ１５ａ，１５ｂ・・・（以下、特に区別しないときは単に「ＵＳＢメモリ１５」という）とのデータ転送制御、通信制御、及びポート制御を行う。このＵＳＢポート１１０を演算制御部１１ａでセンスすることによって各ＵＳＢポート１１０へのＵＳＢメモリ１５の装着及び取り外しが検知される。
【００２１】
この医用機器１では、外部記憶部１１ｃに記憶されているＯＳと可搬記憶媒体管理プログラムを適宜解読及び実行することにより、ＵＳＢメモリ１５が装着されると、どのＵＳＢポート１１０ａ，１１０ｂ，１１０ｃ・・・にＵＳＢメモリ１５が装着されたかの識別表示を行う。また、装着されているＵＳＢメモリ１５ａ，１５ｂ・・・にどの患者の医療情報が記憶されているかを表示する。
【００２２】
図３（ａ）は、この医用機器１にＵＳＢメモリ１５が装着されたＵＳＢポート１１０の状態を示す模式図である。また、図３（ｂ）は、この医用機器１にＵＳＢメモリ１５が装着された際の表示画面を示す模式図である。
【００２３】
図３（ｂ）に示すように、まず、演算制御部１１ａは、Ｉ／Ｏインターフェース１１ｄを介して医用機器１のモニタ１２に、例えば患者の医療情報１６やマウスカーソル１７やデバイス表示アイコン１８ａ，１８ｂ，１８ｃ・・・（以下、特に区別しないときは単に「デバイス表示アイコン１８」という）を表示させる。
【００２４】
デバイス表示アイコン１８ａは、図３（ａ）に示すポート名「ＵＳＢ−Ａ」で識別されるＵＳＢポート１１０ａに対応し、デバイス表示アイコン１８ｂは、ポート名「ＵＳＢ−Ｂ」で識別されるＵＳＢポート１１０ｂに対応し、デバイス表示アイコン１８ｃは、ポート名「ＵＳＢ−Ｃ」で識別されるＵＳＢポート１１０ｃに対応し、デバイス表示アイコン１８ｄは、ポート名「ＵＳＢ−Ｄ」で識別されるＵＳＢポート１１０ｄに対応し、デバイス表示アイコン１８ｅは、ポート名「ＵＳＢ−Ｅ」で識別されるＵＳＢポート１１０ｅに対応して表示されている。
【００２５】
演算制御部１１ａは、ＵＳＢメモリ１５が装着されているＵＳＢポート１１０に対応するデバイス表示アイコン１８を、ＵＳＢメモリ１５が装着されていないＵＳＢポート１１０に対応するデバイス表示アイコン１８と比べて、表示色を変えたり、光らせたり、点滅させたりする等の識別表示をさせる。
【００２６】
例えば、図３（ａ）のように、演算制御部１１ａは、ＵＳＢポート１１０のセンスの結果、ポート名「ＵＳＢ−Ａ」で識別されるＵＳＢポート１１０ａと、ポート名「ＵＳＢ−Ｃ」で識別されるＵＳＢポート１１０ｃと、ポート名「ＵＳＢ−Ｄ」で識別されるＵＳＢポート１１０ｄとにＵＳＢメモリ１５が装着されていることを検知すると、Ｉ／Ｏインターフェース１１ｄを介して医用機器１のモニタ１２に、装着されたＵＳＢポート１１０に対応するデバイス表示アイコン１８ａ，１８ｃ，及び１８ｄを識別表示させる。
【００２７】
図４は、デバイス表示アイコン１８上にマウスカーソル１７が移動した際の表示画面を示す模式図である。
【００２８】
医用機器１のオペレータがマウス１４を操作すると、演算制御部１１ａは、その操作の方向及び距離に合わせてマウスカーソル１７の表示位置を更新させる。そして、演算制御部１１ａは、マウスカーソル１７の表示位置を監視し、マウスカーソル１７がデバイス表示アイコン１８上に移動すると、マウスカーソル１７が移動したデバイス表示アイコン１８に対応するＵＳＢポート１１０に装着されたＵＳＢメモリ１５に記憶されている医療情報１６の情報主体である患者の患者識別情報１９をポップアップ表示させる。
【００２９】
演算制御部１１ａは、ＵＳＢポート１１０にＵＳＢメモリ１５が装着されると、そのＵＳＢメモリ１５から患者識別情報１９を読み出して、主記憶部１１ｂにＵＳＢポート１１０と対応付けて記憶させておく。患者識別情報１９は、患者のＩＤである。
【００３０】
例えば、ＵＳＢポート１１０ａに挿入されたＵＳＢメモリ１５ａには、「ＡＢＣＤ」及び「ＥＦＧＨ」の患者識別情報１９で識別される２名の患者の医療情報１６が記憶されているものとする。演算制御部１１ａは、ＵＳＢメモリ１５ａがＵＳＢポート１１０ａに挿入されると、ＵＳＢメモリ１５ａから「ＡＢＣＤ」及び「ＥＦＧＨ」の患者識別情報１９を読み出して、ＵＳＢポート１１０ａのポート名「ＵＳＢ−Ａ」と対応付けて主記憶部１１ｂに記憶させておく。ここで、ＵＳＢポート１１０ａには、デバイス表示アイコン１８ａが対応する。
【００３１】
そして、演算制御部１１ａは、マウスカーソル１７の表示位置を更新させるとともに、マウスカーソル１７の表示位置を監視する。マウスカーソル１７がデバイス表示アイコン１８ａ上に移動すると、主記憶部１１ｂに記憶させた患者識別情報１９とポート名の対から、「ＵＳＢ−Ａ」と対になった「ＡＢＣＤ」及び「ＥＦＧＨ」の患者識別情報１９を読み出し、Ｉ／Ｏインターフェース１１ｄを介してモニタ１２に当該「ＡＢＣＤ」及び「ＥＦＧＨ」の患者識別情報１９をポップアップ表示させる。
【００３２】
図５は、このような本実施形態に係る医用機器１の機能ブロック図である。
【００３３】
医用機器１は、演算制御部１１ａが可搬記憶媒体管理プログラムを適宜解読及び実行することにより、デバイス検出部２０と可搬記憶媒体管理部２１とを備える。
【００３４】
デバイス検出部２０は、主に演算制御部１１ａとＵＳＢ制御部１１ｅにより構成される。このデバイス検出部２０は、ＵＳＢポート１１０の何れかに装着されたＵＳＢ機器を検出する。さらに、ＵＳＢポート１１０に装着されたＵＳＢ機器がストレージであるＵＳＢメモリ１５であるか否かを検出する。
【００３５】
可搬記憶媒体管理部２１は、主に演算制御部１１ａと主記憶部１１ｂとＩ／Ｏインターフェース１１ｄとＵＳＢ制御部１１ｅにより構成される。この可搬記憶媒体管理部２１は、ＵＳＢポート１１０に装着されたＵＳＢメモリ１５を管理する。本実施形態では、モニタ１２に対してＵＳＢメモリ１５が装着されていることを示す識別表示を行わせ、またマウスカーソル１７が移動したデバイス表示アイコン１８に対応するＵＳＢポート１１０に装着されたＵＳＢメモリ１５内に記憶されている患者識別情報１９をモニタ１２にポップアップ表示させる。この可搬記憶媒体管理部２１は、デバイス表示部２２と患者識別情報取得部２３と患者識別情報記憶部２４と患者識別情報表示部２５とを備える。
【００３６】
デバイス表示部２２は、主に演算制御部１１ａとＩ／Ｏインターフェース１１ｄとにより構成される。このデバイス表示部２２は、モニタ１２にデバイス表示アイコン１８を表示させる。デバイス表示アイコン１８の図形は、可搬記憶媒体管理プログラムの一部として外部記憶部１１ｃに記憶されている。この外部記憶部１１ｃに記憶されているデバイス表示アイコン１８の図形は、ＵＳＢメモリ１５が装着されていないパターンとＵＳＢメモリ１５が装着されているパターンの２種類が用意される。
【００３７】
例えば、ＵＳＢメモリ１５が装着されているパターンのデバイス表示アイコン１８は、あざやかな表示色であり、又はアニメーション表示により点滅している。また、例えば、ＵＳＢメモリ１５が装着されていないパターンのデバイス表示アイコン１８は、グレー表示色によりグレーアウトしている。
【００３８】
デバイス表示部２２は、デバイス検出部２０によりＵＳＢメモリ１５が取り外された状態であることが検出されているＵＳＢポート１１０に対応して、ＵＳＢメモリ１５が装着されていないパターンのデバイス表示アイコン１８を読み出してモニタ１２に表示させる。一方、デバイス検出部２０によりＵＳＢメモリ１５が装着された状態であることが検出されているＵＳＢポート１１０に対応して、ＵＳＢメモリ１５が装着されているパターンのデバイス表示アイコン１８を読み出してモニタ１２に表示させる。
【００３９】
患者識別情報取得部２３は、主に演算制御部１１ａとＵＳＢ制御部１１ｅとにより構成される。この患者識別情報取得部２３は、ＵＳＢメモリ１５から患者識別情報１９を全て読み出す。図６は、ＵＳＢメモリ１５に記憶されているＤＩＣＯＭＤＩＲ（ダイコムディレクトリ）１５０を示す模式図である。
【００４０】
医療情報１６がＣＤやＭＯやＵＳＢメモリ１５等の可搬記憶媒体に記録される際には、ＤＩＣＯＭ規則に応じてＤＩＣＯＭＤＩＲ１５０が作成され、医療情報１６とともに記憶される。ＤＩＣＯＭＤＩＲ１５０は、医療情報１６を統一的に管理するための索引のようなデータベースファイルである。ＤＩＣＯＭＤＩＲ１５０には、決まったファイル名が付与され、各種医用機器１で参照可能となっている。このＤＩＣＯＭＤＩＲ１５０は、患者識別情報１９の内容によりツリー構造体となっている。
【００４１】
例えば、ＤＩＣＯＭＤＩＲ１５０の下位層は、Ａ患者を表すＡ患者識別情報１９ａで識別された項目と、Ｂ患者を表すＢ患者識別情報１９ｂで識別された項目と、Ｃ患者を表すＣ患者識別情報１９ｃで識別された項目とで構成される。そして、Ａ患者識別情報１９ａで識別された項目に対応付けられて、例えばＡ患者を情報主体とする医用画像や検査データや電子カルテ等の医療情報１６が記憶される。また、Ｂ患者識別情報１９ｂで識別された項目に対応付けられて、Ｂ患者を情報主体とする医療情報１６が記憶される。また、Ｃ患者識別情報１９ｃで識別された項目に対応付けられて、Ｃ患者を情報主体とする医療情報１６が記憶される。
【００４２】
尚、医療情報１６には、各種の属性情報が付帯する。例えば、医療情報１６には、その検査データや医用画像が作成されたＸ線ＣＴ装置やＭＲＩ装置や核医学診断装置や超音波診断装置等の医用画像診断装置の属性が付帯する。
【００４３】
患者識別情報取得部２３は、このＤＩＣＯＭＤＩＲ１５０を参照して患者識別情報１９の項目を読み出すことにより、ＵＳＢメモリ１５に記憶されている患者識別情報１９を取得する。患者識別情報取得部２３は、取得した患者識別情報１９を患者識別情報記憶部２４に記憶させる。患者識別情報記憶部２４は、主に主記憶部１１ｂにより構成される。図７は、患者識別情報１９の記憶態様を示す模式図である。
【００４４】
患者識別情報取得部２３は、患者識別情報１９を取得すると、取得した患者識別情報１９を記憶したＵＳＢメモリ１５が挿入されているＵＳＢポート１１０のポート名１１１と対応付けて患者識別情報記憶部２４に記憶させる。
【００４５】
患者識別情報表示部２５は、主に演算制御部１１ａとＩ／Ｏインターフェース１１ｄとにより構成される。この患者識別情報表示部２５は、マウスカーソル１７がデバイス表示アイコン１８上に移動すると、患者識別情報記憶部２４に記憶されている患者識別情報１９をポップアップ表示させる。
【００４６】
デバイス表示部２２は、デバイス表示アイコン１８ａ，１８ｂ，・・・は、それぞれモニタ１２上の所定の座標領域に表示させている。患者識別情報表示部２５は、デバイス表示アイコン１８ａ，１８ｂ，・・・が表示されている座標領域とマウスカーソル１７が位置している座標とを比較する。デバイス表示アイコン１８ａ，１８ｂ，・・・が表示されている座標領域の何れかにマウスカーソル１７が移動すると、患者識別情報表示部２５は、マウスカーする１７が移動したデバイス表示アイコン１８ａ，１８ｂ，・・・に対応するＵＳＢポート１１０のポート名１１１を患者識別情報記憶部２４から検索する。このポート名１１１が検索されると、対応して記憶されている患者識別情報１９を読み出し、モニタ１２にポップアップ表示させる。
【００４７】
図８は、本実施形態に係る医用機器１にＵＳＢメモリ１５が装着された場合の動作を示すフローチャートである。
【００４８】
まず、デバイス表示部２２は、モニタ１２上にデバイス表示アイコン１８を表示させる（Ｓ０１）。ＵＳＢメモリ１５が何れのＵＳＢポート１１０にも装着されていない状態では、ＵＳＢメモリ１５が装着されていないパターンのＵＳＢメモリ１５が装着されているパターンのグレー表示色によりグレーアウトしているデバイス表示アイコン１８を表示させる。
【００４９】
デバイス検出部２０が、ＵＳＢポート１１０にデバイスが装着されたことを検出し（Ｓ０２，Ｙｅｓ）、そのデバイスがＵＳＢメモリ１５であると（Ｓ０３，Ｙｅｓ）、デバイス表示部２２は、ＵＳＢメモリ１５が装着されたＵＳＢポート１１０に対応するデバイス表示アイコン１８を、例えばあざやかな表示色であり、又はアニメーション表示により点滅している、ＵＳＢメモリ１５が装着されたパターンのデバイス表示アイコン１８に変更して表示させ（Ｓ０４）、処理を終了する。
【００５０】
ＵＳＢポート１１０にデバイスが装着されていることを検出しなければ（Ｓ０２，Ｎｏ）、又はＵＳＢポート１１０に装着されたデバイスがＵＳＢメモリ１５でなければ（Ｓ０３，Ｎｏ）、ＵＳＢメモリ１５が装着されたパターンのデバイス表示アイコン１８には変更せず、デバイスの装着の検出を待つ。
【００５１】
図９は、本実施形態に係る医用機器１においてデバイス表示アイコン１８にマウスカーソル１７が移動された場合の動作を示すフローチャートである。
【００５２】
まず、ＵＳＢメモリ１５が装着されると、患者識別情報取得部２３は、装着されたＵＳＢメモリ１５に記憶されているＤＩＣＯＭＤＩＲ１５０を参照して患者識別情報１９の項目１５１から患者識別情報１９を予め取得しておく（Ｓ１１）。そして、患者識別情報１９が取得されたＵＳＢメモリ１５が装着されているＵＳＢポート１１０のポート名１１１を対応付けて患者識別情報記憶部２４に記憶させておく（Ｓ１２）。
【００５３】
患者識別情報表示部２５は、デバイス表示アイコン１８ａ，１８ｂ，１８ｃ・・・が表示されている各座標領域とマウスカーソル１７の位置とを比較し、マウスカーソル１７がデバイス表示アイコン１８ａ，１８ｂ，１８ｃ・・・の何れかに移動していると（Ｓ１３，Ｙｅｓ）、マウスカーソル１７が移動したデバイス表示アイコン１８に対応付けられている患者識別情報１９を読み出す（Ｓ１４）。このとき、患者識別情報記憶部２４を参照して、マウスカーソル１７が移動したデバイス表示アイコン１８のポート名１１１に対応付けられている患者識別情報１９を読み出す。
【００５４】
患者識別情報１９を読み出すと、患者識別情報表示部２５は、読み出した患者識別情報１９をモニタ１２にポップアップ表示させ（Ｓ１５）、処理を終了する。
【００５５】
このように、本実施形態に係る医用機器１では、ＵＳＢポート１１０に対応付けてデバイス表示アイコン１８を表示させ、ＵＳＢポート１１０にＵＳＢメモリ１５が装着されると、そのＵＳＢメモリ１５が装着されたＵＳＢポート１１０に対応するデバイス表示アイコン１８を識別表示させるようにした。これにより、複数のＵＳＢポート１１０が用意されている医用機器１であっても、どのＵＳＢポート１１０にＵＳＢメモリ１５が装着されているか即座に認識でき、診療効率が向上する。
【００５６】
また、本実施形態に係る医用機器１では、このデバイス表示アイコン１８にマウスカーソル１７が移動すると、デバイス表示アイコン１８に対応するＵＳＢポート１１０に装着されたＵＳＢメモリ１５に記憶されている医療情報１６の情報主体である患者を表す患者識別情報１９をポップアップ表示するようにした。これにより、どのＵＳＢメモリ１５にどの患者の医療情報１６が記憶されているか速やかに理解できる。従って、ＵＳＢメモリ１５のラベルに頼らず整理・整頓が可能となり、また誤って他人の医療情報１６を記憶しているＵＳＢメモリ１５に異なる患者の医療情報１６を記憶させてしまったり、他人の医療情報１６をその患者の医療情報１６だと誤解してしまったりするおそれも防止でき、診療効率が向上する。
【００５７】
（第２の実施形態）
第２の実施形態に係る医用機器１は、ＵＳＢメモリ１５の残容量を識別表示するものである。
【００５８】
図１０は、本実施形態においてＵＳＢメモリ１５が装着された際の表示画面を示す模式図である。
【００５９】
本実施形態に係る医用機器１は、ＵＳＢメモリ１５が装着されたＵＳＢポート１１０に対応するデバイス表示アイコン１８の識別表示とともに、装着されたＵＳＢメモリ１５の残容量を表示する。
【００６０】
例えば、デバイス表示アイコン１８ａ，１８ｃ，１８ｄは、ＵＳＢメモリ１５の装着に対応して識別表示されているが、このデバイス表示アイコン１８ａに対して残容量が「４５％」であることを示す残容量情報２６ａを付加し、このデバイス表示アイコン１８ｃに対して残容量が「５５％」であることを示す残容量情報２６ｃを付加し、このデバイス表示アイコン１８ｄに対して残容量が「２０％」であることを示す残容量情報２６ｃを付加して表示させる（以下、特に区別しないときは単に「残容量情報２６」という）。残容量情報２６は、ＵＳＢメモリ１５に存在する記憶可能なスペースの全体に対する割合を示す数値とデバイス表示アイコン１８ｄをグラフ状に変形させた図形である。尚、数値情報としては実際の残容量（／ＫＢ）を表示してもよい。
【００６１】
図１１は、本実施形態に係る医用機器１の機能ブロック図である。
【００６２】
本実施形態に係る医用機器１は、可搬記憶媒体管理部２１に残容量取得部２７をさらに備える。残容量取得部２７は、主に演算制御部１１ａとＵＳＢ制御部１１ｅとから構成される。この残容量取得部２７は、ＵＳＢメモリ１５から残容量情報２６を取得する。デバイス表示部２２は、デバイス表示アイコン１８の表示とともに、残容量取得部２７が取得した残容量情報２６をモニタ１２に表示させる。
【００６３】
図１２は、本実施形態に係る医用機器１にＵＳＢメモリ１５が装着された場合の動作を示すフローチャートである。尚、図１２においてＳ０１〜Ｓ０４までは、第１の実施形態に係る医用機器１と同一の為、その詳細な説明を省略する。
【００６４】
まず、デバイス表示部２２により、デバイス表示アイコン１８を表示させた状態で（Ｓ０１）、デバイス検出部２０が、ＵＳＢポート１１０にデバイスが装着されたことを検出し（Ｓ０２，Ｙｅｓ）、かつそのデバイスがＵＳＢメモリ１５であり（Ｓ０３，Ｙｅｓ）、ＵＳＢメモリ１５が装着されたパターンのデバイス表示アイコン１８に変更して表示させる（Ｓ０４）。この後、若しくはこのデバイス表示アイコン１８の表示前に残容量取得部２７は、装着されたＵＳＢメモリ１５から残容量情報２６を取得する（Ｓ０５）。
【００６５】
残容量情報２６を取得すると、デバイス表示部２２は、残容量情報２６を取得したＵＳＢメモリ１５に対応するデバイス表示アイコン１８に付加して残容量情報２６を表示する（Ｓ０６）。
【００６６】
これにより、装着されたＵＳＢメモリ１５の残容量をただちに視認できるため、残容量を超えるデータを記憶させようとして失敗することを防ぐことができ、診療効率の向上を図ることができる。
【００６７】
（第３の実施形態）
第３の実施形態に係る医用機器は、第１及び２の実施形態の変形例であり、ランプ表示によって可搬記憶媒体を識別するとともに、可搬記憶媒体の残容量をランプによって識別する。
【００６８】
図１３は、本実施形態に係る医用機器１の外観を示す図である。
【００６９】
本実施形態に係る医用機器１は、ワークステーション１１の筐体表面にデバイス表示ランプたるＬＥＤランプ１１２ａ，１１２ｂ，・・・（以下、特に区別しないときは単に「ＬＥＤランプ１１２」という）を備えている。ＬＥＤランプ１１２ａは、ＵＳＢポート１１０ａに対応するランプであり、ＬＥＤランプ１１２ｂは、ＵＳＢポート１１０ｂに対応するランプであり、ＬＥＤランプ１１２ｃは、ＵＳＢポート１１０ｃに対応するランプであり、ＬＥＤランプ１１２ｄは、ＵＳＢポート１１０ｄに対応するランプであり、ＬＥＤランプ１１２ｅは、ＵＳＢポート１１０ｅに対応するランプである。
【００７０】
この医用機器１では、ＵＳＢポート１１０にＵＳＢメモリ１５が装着されると、装着されたＵＳＢポート１１０に対応するＬＥＤランプ１１２が点灯する。ＬＥＤランプ１１２の点灯は、ＵＳＢメモリ１５が装着されたことを示す識別表示となる。また、挿入されたＵＳＢメモリ１５内の残容量情報２６を取得し、その残容量情報２６をＬＥＤランプ１１２の点灯輝度に反映させる。
【００７１】
例えば、ＵＳＢポート１１０ａに残容量情報２６が「４５％」を示すＵＳＢメモリ１５ａが挿入され、ＵＳＢポート１１０ｃに残容量情報２６が「５５％」を示すＵＳＢメモリ１５ｃが挿入され、ＵＳＢポート１１０ｄに残容量情報２６が「２０％」を示すＵＳＢメモリ１５ｄが挿入されると、ＬＲＤランプ１１２ｃ、ＬＥＤランプ１１２ａ、ＬＥＤランプ１１２ｄの順に明るく点灯する。
【００７２】
図１４は、本実施形態に係る医用機器１の内部構成を示すブロック図である。
【００７３】
この医用機器１は、バスにＬＥＤコントローラ１１ｆがさらに配され、ＬＥＤコントローラ１１ｆにＬＥＤランプ１１２が接続されている。ＬＥＤコントローラ１１ｆは、ＬＥＤランプ１１２を各種の輝度で個別的に点灯させる。即ち、ＬＥＤコントローラ１１ｆは、複数段階の電流のうちの一を選択的にＬＥＤランプ１１２に流す。
【００７４】
外部記憶部１１ｃには、残容量情報２６を区分分けしたテーブルがプログラムの一部として予め記憶されている。例えば、残容量情報２６が「１００〜８０％」の区分、残容量情報２６が「７９〜５０％」の区分、残容量情報２６が「４９〜３０％」の区分、残容量情報２６が「２９〜０％」の区分を明示した区分けテーブルが予め記憶されている。演算制御部１１ａは、残容量情報２６を示すデータを読み込んでこの区分けに当てはめて区分けし、区分けに応じた輝度でＬＥＤランプ１１２を点灯させる制御信号をＬＥＤコントローラ１１ｆに出力する。ＬＥＤコントローラ１１ｆは、制御信号に応じた電流をＬＥＤランプ１１２に流す。
【００７５】
演算制御部１１ａが出力する制御信号は、例えば、「１００〜８０％」の区分に対応する制御信号、「７９〜５０％」の区分に対応する制御信号、「４９〜３０％」の区分に対応する制御信号、「２９〜０％」の区分に対応する制御信号の順に、高い電流値で電流を出力することを表している。
【００７６】
図１５は、本実施形態に係る医用機器１にＵＳＢメモリ１５が装着された場合の動作を示すフローチャートである。
【００７７】
まず、デバイス検出部２０が、ＵＳＢポート１１０にデバイスが装着されたことを検出し（Ｓ２１，Ｙｅｓ）、かつそのデバイスがＵＳＢメモリ１５であると（Ｓ２２，Ｙｅｓ）、残容量取得部２７は、装着されたＵＳＢメモリ１５から残容量情報２６を取得する（Ｓ２３）。
【００７８】
残容量情報２６を取得すると、デバイス表示部２２は、予め記憶されている区分けテーブルを読み出し（Ｓ２４）、残容量情報２６が属する区分を区分けテーブルを参照して取得する（Ｓ２５）。残容量情報２６が属する区分を取得すると、デバイス表示部２２は、その区分に対応する制御信号をＬＥＤコントローラ１１ｆに出力する（Ｓ２６）。
【００７９】
このように、ＬＥＤランプ１１２を医用機器１に備えるようにして、ＵＳＢメモリ１５が装着されているＵＳＢポート１１０やＵＳＢメモリ１５の残量情報２６を識別表示することもできる。
【００８０】
尚、本実施形態に係る医用機器１では、ＬＥＤランプ１１２の輝度によって残容量情報２６を識別表示するようにしたが、これ以外にもＬＥＤランプ１１２を点滅させ、その点灯間隔によって残容量情報２６を識別表示してもよい。ＬＥＤコントローラ１１ｆには、それぞれパルス間隔の異なる複数のパルスシーケンスを記憶し、このパルスシーケンスを制御信号に応じて選択的に読み出して、読み出したパルスシーケンスに従って電流を流す。例えば、残容量２６が少なければすくないほど点灯間隔の短いパルスシーケンスに従って電流を流す。
【００８１】
（第４の実施形態）
第４の実施形態に係る医用機器１は、表示された医療情報１６をドラッグ＆ドロップ操作によりＵＳＢメモリ１５に記憶させる。
【００８２】
図１６は、本実施形態に係る医用機器１の機能ブロック図である。
【００８３】
医用機器１は、レポート作成装置や画像表示装置の場合には医療現場のネットワークに接続されて医療情報サーバから医療情報１６を取得して表示や修正等の情報処理を施す。また、医用機器１は、医用画像診断装置である場合には、医療情報サーバから検査データや電子カルテを取得し、医用画像を撮影して生成している。医用機器１は、これら医療情報１６を一時的に蓄積する医療情報記憶部２８を備える。医療情報記憶部２８は、主に主記憶部１１ｂや外部記憶部１１ｃで構成されている。医用機器１は、医療情報記憶部２８に記憶されている医療情報１６をモニタ１２に表示する。
【００８４】
本実施形態に係る医用機器１は、可搬記憶媒体管理部２１にさらにデバイス記憶制御部２９を備える。デバイス記憶制御部２９は、主に演算制御部１１ａとＵＳＢ制御部１１ｅで構成される。このデバイス記憶制御部２９は、モニタ１２に表示された医療情報１６の内容を示す表示画像がドラッグ操作され、デバイス表示アイコン１８にドロップ操作されると、表示されている医療情報１６の電子ファイルをドロップ操作されたデバイス表示アイコン１８に対応するＵＳＢポート１１０に装着されているＵＳＢメモリ１５に記憶させる。デバイス記憶制御部２９は、表示されている医療情報１６を医療情報記憶部２８から読み出してコピーし、ＵＳＢメモリ１５に記憶させる。表示されている医療情報１６の内容が医用機器１で修正されていると、読み出したコピーに修正を反映させた上でＵＳＢメモリ１５に記憶させる。
【００８５】
図１７は、本実施形態に係る医用機器１において医療情報１６が表示体アイコンにドラッグ＆ドロップ操作された場合の動作を示すフローチャートである。
【００８６】
まず、オペレータにより、医療情報１６の内容を表示した表示画像に対してドラッグ操作を行い（Ｓ３１）、ＵＳＢメモリ１５の装着を示す識別表示がなされているデバイス表示アイコン１８にドロップ操作がなされる（Ｓ３２）。
【００８７】
この表示画像に対するドラッグ＆ドロップが行われると、デバイス記憶制御部２９は、ドラッグされた表示画像に対応する医療情報１６の電子ファイルを医療情報記憶部２８から読み出し（Ｓ３３）、ドロップ操作されたデバイス表示アイコン１８に対応するＵＳＢポート１１０に装着されたＵＳＢメモリ１５に、読み出した医療情報１６の電子ファイルを記憶させる（Ｓ３４）。
【００８８】
このように、本実施形態に係る医用機器１では、デバイス表示アイコン１８によりＵＳＢメモリ１５の装着の有無を識別できるとともに、表示画像のデバイス表示アイコン１８へのドラッグ＆ドロップにより表示されている医療情報１６の電子ファイルをＵＳＢメモリ１５にコピーすることができ、ＵＳＢメモリ１５に対する統一的な操作を実現することができる。
【００８９】
（第５の実施形態）
第５の実施形態に係る医用機器１は、ＵＳＢメモリ１５に記憶されている医療情報１６へのアクセスに対して権限判断を行う。
【００９０】
図１８は、ＵＳＢメモリ１５に記憶されている医療情報１６へのアクセスに対する一態様を示す表示画面を示す模式図である。
【００９１】
本実施形態の医用機器１では、オペレータがキーボード１３やマウス１４を用いてＵＳＢメモリ１５へアクセスする操作を行うと、ログインユーザのアクセス権限を判断する。アクセス権限の判断の結果、ＵＳＢメモリ１５に記憶されている医療情報１６に対するアクセス権限を有していなければ、ＵＳＢメモリ１５の認識を解除する。そして、モニタ１２に、アクセス権限がなくＵＳＢメモリ１５の認識を解除する旨のメッセージ３０を表示する。アクセスには、ＵＳＢメモリ１５からの医療情報１６の読み出しの他、ＵＳＢメモリ１５への医療情報１６の記憶も含む。
【００９２】
図１９は、本実施形態に係る医用機器１の機能ブロック図である。
【００９３】
本実施形態に係る医用機器１の可搬記憶媒体管理部２１は、権限判断部３１を有する。また、医用機器１は、ログインしたユーザを識別するログイン情報を記憶するログイン情報記憶部３２を備えている。このログイン情報記憶部３２は、主に主記憶部１１ｂにより構成される。
【００９４】
権限判断部３１は、主に演算制御部１１ａと外部記憶部１１ｃを含み構成される。この権限判断部３１は、ログインユーザのアクセス権限を判断する。権限判断部３１は、予めログインユーザの権限テーブルを有している。権限テーブルは、ログインユーザとそのログインユーザがアクセスできる医用情報１６の属性とを対にして記憶したテーブルである。医療情報１６の属性は、例えば医療情報１６を原始的に取得した医用画像診断装置の種類である。例えば、ログインユーザ「○田×男」に対して「超音波診断装置」等の医療情報１６の属性が記憶されている。
【００９５】
権限判断部３１は、ＵＳＢメモリ１５に記憶されているＤＩＣＯＭＤＩＲ１５０を参照して、ＵＳＢメモリ１５に記憶されている医療情報１６の属性を取得する。そして、権限テーブルを参照して、取得した医療情報１６の属性がログインユーザに対になって記憶されているか検索する。検索の結果、ログインユーザにアクセス権限があれば、アクセスを続行させ、アクセス権限がなければ、アクセスしようとしていたＵＳＢメモリ１５の認識を解除する。認識の解除とは、ドライブレターを割り振らないようにすることである。
【００９６】
図２０は、本実施形態に係る権限判断の動作を示すフローチャートである。
【００９７】
まず、ログインユーザがキーボード１３やマウス１４を用いてＵＳＢメモリ１５へのアクセス操作を行うと（Ｓ３１）、権限判断部３１は、ログインユーザのアクセス権限を判断する（Ｓ３２）。アクセス権限の判断では、ＵＳＢメモリ１５内からＤＩＣＯＭＤＩＲ１５０に記憶されている医療情報１６の属性が、権限テーブルに記憶されているログインユーザに対して対になって記憶されているかを判断する。
【００９８】
権限判断の結果、ログインユーザがＵＳＢメモリ１５内の医療情報１６に対してアクセス権限を有していれば（Ｓ３３，Ｙｅｓ）、ＵＳＢメモリ１５へのアクセス処理を実行する（Ｓ３４）。一方、権限判断の結果、ログインユーザがＵＳＢメモリ１５内の医療情報１６に対してアクセス権限を有していなければ（Ｓ３３，Ｎｏ）、アクセスしようとしたＵＳＢメモリ１５の認識を解除する（Ｓ３５）。
【００９９】
アクセス権限を有しているとは、ＵＳＢメモリ１５内からＤＩＣＯＭＤＩＲ１５０に記憶されている医療情報１６の属性が、権限テーブルに記憶されているログインユーザに対して対になって記憶されている場合である。アクセス権限を有していないとは、ＵＳＢメモリ１５内からＤＩＣＯＭＤＩＲ１５０に記憶されている医療情報１６の属性が、権限テーブルに記憶されているログインユーザに対して対になって記憶されてない場合である。
【０１００】
このように、本実施形態に係る医用機器１では、デバイス表示アイコン１８によりＵＳＢメモリ１５の装着の有無を識別できる一方で、個人情報の保護をも図ることができる。
【０１０１】
（第６の実施形態）
第６の実施形態に係る医用機器１は、第５の実施形態の変形例であり、ＵＳＢメモリ１５が装着されている場合に、ログオンしようとする者の権限判断を行う。
【０１０２】
図２１は、ＵＳＢメモリ１５が装着されている状態で医用機器１にログインする際の一態様を示す表示画面を示す模式図である。
【０１０３】
本実施形態の医用機器１では、ＵＳＢメモリ１５が装着されている状態で、オペレータがキーボード１３やマウス１４を用いて医用機器１へのログインを行う操作を行うと、ログインしようとする者のアクセス権限を判断する。アクセス権限の判断の結果、ＵＳＢメモリ１５に記憶されている医療情報１６に対するアクセス権限を有していなければ、ログインを拒絶する。そして、モニタ１２に、アクセス権限がなくログインできない旨のメッセージ３３を表示する。
【０１０４】
図２２は、本実施形態に係る権限判断の動作を示すフローチャートである。
【０１０５】
まず、ログインしようとする者がキーボード１３やマウス１４を用いてログイン操作を行うと（Ｓ４１）、権限判断部３１は、ＵＳＢメモリ１５が装着を検出する（Ｓ４２）。
【０１０６】
ＵＳＢメモリ１５が装着されていなければ（Ｓ４２，Ｎｏ）、医用機器１は、ログイン処理を続行する（Ｓ４３）。一方、ＵＳＢメモリ１５が装着されていれば（Ｓ４２，Ｙｅｓ）、権限判断部３１は、ログインしようとする者のアクセス権限を判断する（Ｓ４４）。アクセス権限の判断では、ＵＳＢメモリ１５内からＤＩＣＯＭＤＩＲ１５０に記憶されている医療情報１６の属性と、ログインしようとする者が入力したログイン情報とが、権限テーブルに対になって記憶されているかを判断する。
【０１０７】
権限判断の結果、ログインしようとする者がＵＳＢメモリ１５内の医療情報１６に対してアクセス権限を有していれば（Ｓ４５，Ｙｅｓ）、ログイン処理を続行する（Ｓ４３）。一方、権限判断の結果、ログインしようとする者がＵＳＢメモリ１５内の医療情報１６に対してアクセス権限を有していなければ（Ｓ４５，Ｎｏ）、ログインを拒絶し（Ｓ４６）、処理を終了する。
【０１０８】
このように、本実施形態に係る医用機器１では、デバイス表示アイコン１８によりＵＳＢメモリ１５の装着の有無を識別できる一方で、個人情報の保護をも図ることができる。
【０１０９】
以上の各実施形態では、ＵＳＢメモリ１５を装着する場合を例にとり、ＵＳＢポート１１０やＵＳＢ制御部１１ｅが配されている場合を説明したが、ＵＳＢメモリ１５に限定することなく、ＣＤやＭＯやＨＤＤ等の各種の可搬記憶媒体やこれらの混在が装着される場合でも適用することができる。この場合、医用機器１は、ＣＤやＭＯやＨＤＤ等の各種の可搬記憶媒体が装着されるポートを有し、これらの制御部を有する。
【０１１０】
また、各実施形態で実行する可搬記憶媒体管理プログラムとＯＳとのどちらに、どのような機能を実現させるためのプログラムを含めるかは、本発明の作用効果を奏する範囲で適宜設計でき、例えばＯＳによってデバイス検出部２０や残容量取得部２７が機能するようにしてもよい。
【図面の簡単な説明】
【０１１１】
【図１】医用機器の外観を示す図である。
【図２】医用機器の内部構成を示すブロック図である。
【図３】（ａ）は、医用機器にＵＳＢメモリが装着されたＵＳＢポートの状態を示す模式図であり、図３（ｂ）は、医用機器にＵＳＢメモリが装着された際の表示画面を示す模式図である。
【図４】デバイス表示アイコン上にマウスカーソルが移動した際の表示画面を示す模式図である。
【図５】第１の実施形態に係る医用機器の機能ブロック図である。
【図６】ＵＳＢメモリに記憶されているＤＩＣＯＭＤＩＲを示す模式図である。
【図７】患者識別情報の記憶態様を示す模式図である。
【図８】第１の実施形態に係る医用機器にＵＳＢメモリが装着された場合の動作を示すフローチャートである。
【図９】第１の実施形態に係る医用機器においてデバイス表示アイコンにマウスカーソルが移動された場合の動作を示すフローチャートである。
【図１０】第２の実施形態においてＵＳＢメモリが装着された際の表示画面を示す模式図である。
【図１１】第２の実施形態に係る医用機器の機能ブロック図である。
【図１２】第２の実施形態に係る医用機器にＵＳＢメモリが装着された場合の動作を示すフローチャートである。
【図１３】第３の実施形態に係る医用機器の外観を示す図である。
【図１４】第３の実施形態に係る医用機器の内部構成を示すブロック図である。
【図１５】第３の実施形態に係る医用機器にＵＳＢメモリが装着された場合の動作を示すフローチャートである。
【図１６】第４の実施形態に係る医用機器の機能ブロック図である。
【図１７】第４の実施形態に係る医用機器において医療情報が表示体アイコンにドラッグ＆ドロップ操作された場合の動作を示すフローチャートである。
【図１８】第５の実施形態においてＵＳＢメモリに記憶されている医療情報へのアクセスに対する一態様を示す表示画面を示す模式図である。
【図１９】第５の実施形態に係る医用機器の機能ブロック図である。
【図２０】第５の実施形態に係る権限判断の動作を示すフローチャートである。
【図２１】第６の実施形態においてＵＳＢメモリが装着されている状態で医用機器にログインする際の一態様を示す表示画面を示す模式図である。
【図２２】第６の実施形態に係る権限判断の動作を示すフローチャートである。
【符号の説明】
【０１１２】
１  医用機器
１１  ワークステーション
１１ａ  演算制御部
１１ｂ  主記憶部
１１ｃ  外部記憶部
１１ｄ  Ｉ／Ｏインターフェース
１１ｅ  ＵＳＢ制御部
１１ｆ  ＬＥＤコントローラ
１１０  ＵＳＢポート
１１２  ＬＥＤランプ
１２  モニタ
１３  キーボード
１４  マウス
１５  ＵＳＢメモリ
１６  医療情報
１７  マウスカーソル
１８  デバイス表示アイコン
１９  患者識別情報
２０  デバイス検出部
２１  可搬記憶媒体管理部
２２  デバイス表示部
２３  患者識別情報取得部
２４  患者識別情報記憶部
２５  患者識別情報表示部
２６  残容量情報
２７  残容量取得部
２８  医療情報記憶部
２９  デバイス記憶制御部
３１  権限判断部
３２  ログイン情報記憶部
【図１】
2008176461.tif 000003
【図２】
2008176461.tif 000004
【図５】
2008176461.tif 000005
【図６】
2008176461.tif 000006
【図７】
2008176461.tif 000007
【図８】
2008176461.tif 000008
【図９】
2008176461.tif 000009
【図１１】
2008176461.tif 000010
【図１２】
2008176461.tif 000011
【図１３】
2008176461.tif 000012
【図１４】
2008176461.tif 000013
【図１５】
2008176461.tif 000014
【図１６】
2008176461.tif 000015
【図１７】
2008176461.tif 000016
【図１８】
2008176461.tif 000017
【図１９】
2008176461.tif 000018
【図２０】
2008176461.tif 000019
【図２１】
2008176461.tif 000020
【図２２】
2008176461.tif 000021
【図３】
2008176461.tif 000022
【図４】
2008176461.tif 000023
【図１０】
2008176461.tif 000024